【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
遊技球が入球可能な入球手段と、
その入球手段に遊技球が入球した場合に情報を取得可能な取得手段と、
その取得手段により取得された前記情報を所定数まで記憶可能な記憶手段と、
その記憶手段に記憶された前記情報に基づいて判別を実行する判別手段と、
その判別手段による判別結果を示すための識別情報が表示される表示手段と、
前記識別情報を動的表示させる動的表示実行手段と、
その動的表示実行手段により動的表示される前記識別情報の動的表示期間を決定する動的表示期間決定手段と、
前記判別とは異なる第１判別を実行可能な第１判別手段と、
その第１判別手段による第１判別結果を示すための第１識別情報を動的表示させる第１動的表示実行手段と、
特定の前記判別結果に基づいた前記識別情報が停止表示された場合に遊技者に有利となる特典を付与可能であり、特定の前記第１判別結果に基づいた前記第１識別情報が停止表示された場合に第１特典を付与可能な特典付与手段と、を有した遊技機において、
前記入球手段に遊技球が入球可能な第１状態と、遊技球の入球が前記第１状態よりも困難となる第２状態とに可変可能な可変手段と、
その可変手段を前記第２状態から第１状態へと所定条件が成立するまで可変させる可変制御手段と、
特定条件の成立に基づいて、前記可変制御手段により前記可変手段が前記第１状態へと可変され易い有利状態を終了条件の成立まで設定する状態設定手段と、
その状態設定手段により前記有利状態が設定された後、前記第１識別情報が動的表示された回数に関わらず、前記有利状態が設定されている状態で少なくとも初めに実行される前記識別情報の動的表示期間を含む第１期間中に、前記入球手段に遊技球が入球可能となる設定を実行する設定手段と、を有し、
前記遊技機は、前記有利状態が設定されている状態で実行された前記判別の結果が前記特定の判別結果であることに基づいて前記特定条件を成立させることが可能であり、
前記設定手段は、前記入球可能となる設定として、前記動的表示期間決定手段により決定される動的表示期間として前記有利状態が設定されていない場合よりも動的表示期間の長い第１動的表示期間が決定される割合が高くなるように設定するものであり、
前記動的表示期間決定手段は、
前記第１期間中に動的表示される前記識別情報の動的表示期間よりも、前記有利状態中であって前記第１期間の経過後に動的表示される前記識別情報の動的表示期間の方が、短い動的表示期間を決定し易いものであり、
前記有利状態が設定されている状態で実行された前記判別の結果が前記特定の判別結果である場合の方が、前記有利状態が設定されていない状態で実行された前記判別の結果が前記特定の判別結果である場合よりも、動的表示期間の短い第２動的表示期間を決定可能であることを特徴とする遊技機。
【請求項２】
前記入球手段に入球した遊技球を検出可能な検出手段を有するものであることを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、入球可能となる入球口を有し、その入球口へ遊技球が入球することに基づいて特典遊技（当たり遊技等）を付与可能にするパチンコ機が提案されている。
【手続補正３】
【補正対象書類名】明細書
【補正対象項目名】０００５
【補正方法】変更
【補正の内容】
【０００５】
本発明は、上記例示した問題点を解決するためになされたものであり、遊技の興趣を向上できる遊技機を提供することを目的とする。
【手続補正４】
【補正対象書類名】明細書
【補正対象項目名】０００６
【補正方法】変更
【補正の内容】
【０００６】
この目的を達成するために本発明の遊技機は、遊技球が入球可能な入球手段と、その入球手段に遊技球が入球した場合に情報を取得可能な取得手段と、その取得手段により取得された前記情報を所定数まで記憶可能な記憶手段と、その記憶手段に記憶された前記情報に基づいて判別を実行する判別手段と、その判別手段による判別結果を示すための識別情報が表示される表示手段と、前記識別情報を動的表示させる動的表示実行手段と、その動的表示実行手段により動的表示される前記識別情報の動的表示期間を決定する動的表示期間決定手段と、前記判別とは異なる第１判別を実行可能な第１判別手段と、その第１判別手段による第１判別結果を示すための第１識別情報を動的表示させる第１動的表示実行手段と、特定の前記判別結果に基づいた前記識別情報が停止表示された場合に遊技者に有利となる特典を付与可能であり、特定の前記第１判別結果に基づいた前記第１識別情報が停止表示された場合に第１特典を付与可能な特典付与手段と、を有し、前記入球手段に遊技球が入球可能な第１状態と、遊技球の入球が前記第１状態よりも困難となる第２状態とに可変可能な可変手段と、その可変手段を前記第２状態から第１状態へと所定条件が成立するまで可変させる可変制御手段と、特定条件の成立に基づいて、前記可変制御手段により前記可変手段が前記第１状態へと可変され易い有利状態を終了条件の成立まで設定する状態設定手段と、その状態設定手段により前記有利状態が設定された後、前記第１識別情報が動的表示された回数に関わらず、前記有利状態が設定されている状態で少なくとも初めに実行される前記識別情報の動的表示期間を含む第１期間中に、前記入球手段に遊技球が入球可能となる設定を実行する設定手段と、を有し、前記遊技機は、前記有利状態が設定されている状態で実行された前記判別の結果が前記特定の判別結果であることに基づいて前記特定条件を成立させることが可能であり、前記設定手段は、前記入球可能となる設定として、前記動的表示期間決定手段により決定される動的表示期間として前記有利状態が設定されていない場合よりも動的表示期間の長い第１動的表示期間が決定される割合が高くなるように設定するものであり、前記動的表示期間決定手段は、前記第１期間中に動的表示される前記識別情報の動的表示期間よりも、前記有利状態中であって前記第１期間の経過後に動的表示される前記識別情報の動的表示期間の方が、短い動的表示期間を決定し易いものであり、前記有利状態が設定されている状態で実行された前記判別の結果が前記特定の判別結果である場合の方が、前記有利状態が設定されていない状態で実行された前記判別の結果が前記特定の判別結果である場合よりも、動的表示期間の短い第２動的表示期間を決定可能である。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明の遊技機によれば、遊技球が入球可能な入球手段と、その入球手段に遊技球が入球した場合に情報を取得可能な取得手段と、その取得手段により取得された前記情報を所定数まで記憶可能な記憶手段と、その記憶手段に記憶された前記情報に基づいて判別を実行する判別手段と、その判別手段による判別結果を示すための識別情報が表示される表示手段と、前記識別情報を動的表示させる動的表示実行手段と、その動的表示実行手段により動的表示される前記識別情報の動的表示期間を決定する動的表示期間決定手段と、前記判別とは異なる第１判別を実行可能な第１判別手段と、その第１判別手段による第１判別結果を示すための第１識別情報を動的表示させる第１動的表示実行手段と、特定の前記判別結果に基づいた前記識別情報が停止表示された場合に遊技者に有利となる特典を付与可能であり、特定の前記第１判別結果に基づいた前記第１識別情報が停止表示された場合に第１特典を付与可能な特典付与手段と、を有し、前記入球手段に遊技球が入球可能な第１状態と、遊技球の入球が前記第１状態よりも困難となる第２状態とに可変可能な可変手段と、その可変手段を前記第２状態から第１状態へと所定条件が成立するまで可変させる可変制御手段と、特定条件の成立に基づいて、前記可変制御手段により前記可変手段が前記第１状態へと可変され易い有利状態を終了条件の成立まで設定する状態設定手段と、その状態設定手段により前記有利状態が設定された後、前記第１識別情報が動的表示された回数に関わらず、前記有利状態が設定されている状態で少なくとも初めに実行される前記識別情報の動的表示期間を含む第１期間中に、前記入球手段に遊技球が入球可能となる設定を実行する設定手段と、を有し、前記遊技機は、前記有利状態が設定されている状態で実行された前記判別の結果が前記特定の判別結果であることに基づいて前記特定条件を成立させることが可能であり、前記設定手段は、前記入球可能となる設定として、前記動的表示期間決定手段により決定される動的表示期間として前記有利状態が設定されていない場合よりも動的表示期間の長い第１動的表示期間が決定される割合が高くなるように設定するものであり、前記動的表示期間決定手段は、前記第１期間中に動的表示される前記識別情報の動的表示期間よりも、前記有利状態中であって前記第１期間の経過後に動的表示される前記識別情報の動的表示期間の方が、短い動的表示期間を決定し易いものであり、前記有利状態が設定されている状態で実行された前記判別の結果が前記特定の判別結果である場合の方が、前記有利状態が設定されていない状態で実行された前記判別の結果が前記特定の判別結果である場合よりも、動的表示期間の短い第２動的表示期間を決定可能である。よって、遊技の興趣を向上できるという効果がある。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】２０６３
【補正方法】変更
【補正の内容】
【２０６３】
上述した各実施形態または各制御例における遊技機のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、電動役物が開放（または可動）されることにより入球可能となる入球口を有し、その入球口へ遊技球が入球することに基づいて実行される特定の遊技（当たり遊技等）中に開放される入賞装置と、入賞装置内に設けられている特定領域（入賞スイッチ等）を、遊技球が通過することによって遊技者に有利となる特典遊技（当たり遊技等）を付与可能にするパチンコ機が提案されている（例えば、特許文献１：特開２０１１−０１０７４１号公報）。
しかしながら、更なる遊技の興趣向上が求められていた。
本技術的思想は、上記例示した問題点を解決するためになされたものであり、遊技者の興趣を向上できる遊技機を提供することを目的とする。
＜手段＞
この目的を達成するために技術的思想１の遊技機は、開放条件の成立に基づいて、遊技球が入球可能に可変される入球手段と、その入球手段に遊技球が入球した場合に情報を取得可能な取得手段と、その取得手段により取得された前記情報を所定数まで記憶可能な記憶手段と、その記憶手段に記憶された前記情報に基づいて判別を実行する判別手段と、その判別手段による判別結果に基づいた識別情報が表示される表示手段と、その表示手段に特定の判別結果に基づいた前記識別情報が表示された場合に、遊技者に有利となる第１特典を付与する特典付与手段と、を有し、前記開放条件が成立し易くなる有利状態を設定する設定手段と、前記特定の判別結果よりも判別される確率が高く設定された特殊判別結果であると前記判別手段により判別されたことに基づいて、遊技球が入球可能となる特定領域と、その特定領域に遊技球が入球したことに基づいて、前記有利状態の設定を解除する解除手段と、前記入球手段に遊技球が入球可能な第１状態と、遊技球の入球が前記第１状態よりも困難となる第２状態とに可変可能な可変手段と、判定条件の成立に基づいて判定を実行する判定手段と、その判定手段による判定結果に基づいた判定情報が動的表示される判定情報表示手段と、その判定情報表示手段に前記判定情報が動的表示される動的表示期間を決定する動的表示期間決定手段と、前記動的表示期間決定手段により決定される異なる動的表示期間が設定された複数の決定用テーブルと、前記特定の判定結果であることに基づいて、前記決定用テーブルを設定することが可能な切替設定手段と、を有するものである。
技術的思想２の遊技機は、技術的思想１記載の遊技機において、前記切替設定手段は、予め定められた専用の前記決定用テーブルを所定の回数で前記判定情報が動的表示されるまで設定するものである。
技術的思想３の遊技機は、技術的思想２記載の遊技機において、前記専用の決定用テーブルは、短い動的表示期間の決定割合が高く設定されているものである。
技術的思想４の遊技機は、技術的思想１から３のいずれかに記載の遊技機において、前記特典付与手段は、前記特定領域に遊技球が入球したことに基づいて、前記特典を付与するものである。
＜効果＞
技術的思想１記載の遊技機によれば、開放条件の成立に基づいて、遊技球が入球可能に可変される入球手段と、その入球手段に遊技球が入球した場合に情報を取得可能な取得手段と、その取得手段により取得された前記情報を所定数まで記憶可能な記憶手段と、その記憶手段に記憶された前記情報に基づいて判別を実行する判別手段と、その判別手段による判別結果に基づいた識別情報が表示される表示手段と、その表示手段に特定の判別結果に基づいた前記識別情報が表示された場合に、遊技者に有利となる第１特典を付与する特典付与手段と、を有し、前記開放条件が成立し易くなる有利状態を設定する設定手段と、前記特定の判別結果よりも判別される確率が高く設定された特殊判別結果であると前記判別手段により判別されたことに基づいて、遊技球が入球可能となる特定領域と、その特定領域に遊技球が入球したことに基づいて、前記有利状態の設定を解除する解除手段と、前記入球手段に遊技球が入球可能な第１状態と、遊技球の入球が前記第１状態よりも困難となる第２状態とに可変可能な可変手段と、判定条件の成立に基づいて判定を実行する判定手段と、その判定手段による判定結果に基づいた判定情報が動的表示される判定情報表示手段と、その判定情報表示手段に前記判定情報が動的表示される動的表示期間を決定する動的表示期間決定手段と、前記動的表示期間決定手段により決定される異なる動的表示期間が設定された複数の決定用テーブルと、前記特定の判定結果であることに基づいて、前記決定用テーブルを設定することが可能な切替設定手段と、を有するものである。よって、遊技者の興趣を向上できるという効果がある。
技術的思想２記載の遊技機は、技術的思想１記載の遊技機の奏する効果に加え、前記切替設定手段は、予め定められた専用の前記決定用テーブルを所定の回数で前記判定情報が動的表示されるまで設定するものである。よって、開放条件が成立してから一定期間の間、判定情報の動的表示期間を可変させることができるという効果がある。
技術的思想３記載の遊技機は、技術的思想２記載の遊技機の奏する効果に加え、前記専用の決定用テーブルは、短い動的表示期間の決定割合が高く設定されているものである。よって、開放条件の成立間隔を短くすることができるという効果がある。
技術的思想４記載の遊技機は、技術的思想１から３のいずれかに記載の遊技機の奏する効果に加え、前記特典付与手段は、前記特定領域に遊技球が入球したことに基づいて、前記特典を付与するものである。よって、遊技の興趣を向上できるという効果がある。
【手続補正１３】
【補正対象書類名】明細書
【補正対象項目名】２０６４
【補正方法】変更
【補正の内容】
【２０６４】
１０                      パチンコ機（遊技機）
８１                      第３図柄表示装置（表示手段）
２０３ａ                  特別図柄保留球格納エリア（記憶手段）
６４０                    第２入賞口（入球手段）
６４０ａ                  電動役物６４０ａ（可変手段）
Ｓ１０５                  取得手段
Ｓ２４０                  判別手段、動的表示期間決定手段
Ｓ１０４０                特典付与手段
Ｓ２４０５ 動的表示実行手段
Ｓ４７１４                状態設定手段
Ｓ４７３１ 設定手段